【手続補正書】
【提出日】平成17年2月14日(2005.2.14)
【手続補正１】
【補正対象書類名】明細書
【補正対象項目名】請求項１
【補正方法】変更
【補正の内容】
【請求項１】
遊技により払出条件が成立したことにもとづいて景品としての景品遊技媒体を払い出す遊技機であって、
遊技の進行を制御する遊技制御手段と、
前記景品遊技媒体の払い出しを行う払出手段と、
前記払出手段を制御する払出制御手段と、
前記払出手段により払い出された景品遊技媒体を検出する景品遊技媒体検出手段とを備え、
前記遊技制御手段は、
前記払出条件の成立にもとづいて前記払出制御手段に対して景品遊技媒体の払出数を指定する払出数指令信号および当該景品遊技媒体の払出要求を行う払出要求信号を継続的に出力し、
前記払出制御手段は、
前記払出要求信号が入力されたことにもとづいて、前記払出手段を制御して前記払出数指令信号により指定された払出数の景品遊技媒体の払出処理を実行し、
前記景品遊技媒体検出手段からの検出信号は、前記払出制御手段に入力され、
前記払出制御手段は、
前記景品遊技媒体検出手段からの検出信号の入力状態を監視して前記払出数指令信号により指定された払出数の景品遊技媒体が払い出されたか否かを判定する払出数判定手段と、
前記払出数判定手段により前記払出数指令信号により指定された払出数の景品遊技媒体が払い出されたと判定されたときに払出処理が完了したことを示す払出完了信号を前記遊技制御手段に対して出力する払出完了信号送信手段とを含み、
前記遊技制御手段は、前記払出完了信号を受信したことにもとづいて、継続的に出力されている前記払出要求信号の出力を停止する払出要求信号停止手段を含み、
前記払出制御手段は、
前記払出要求信号にもとづく景品遊技媒体の払出処理が終了したあと所定期間が経過しても前記払出数判定手段により前記払出数指令信号により指定された払出数の景品遊技媒体が払い出されたと判定されないときに、当該払出処理による景品遊技媒体の払出数が前記払出数指令信号により指定された払出数に対して不足していると判定する払出数不足判定手段と、
前記払出数不足判定手段により払出数が不足していると判定されたときに、払出手段を制御して不足数分の景品遊技媒体の払出処理を実行する不足払出処理制御手段と、
前記払出要求信号にもとづく景品遊技媒体の払出処理の実行中に前記払出要求信号の出力が停止されたときに、景品遊技媒体の払出処理を禁止する払出禁止状態に設定する処理を行う払出禁止状態設定手段とを含む
ことを特徴とする遊技機。
【手続補正２】
【補正対象書類名】明細書
【補正対象項目名】請求項２
【補正方法】変更
【補正の内容】
【請求項２】
払出手段は、景品遊技媒体の払い出しと貸出要求にもとづいて遊技者に貸し出す貸出遊技媒体の払い出しとを実行可能であり、
景品遊技媒体検出手段は、前記払出手段により払い出された景品遊技媒体と貸出遊技媒体とを検出する払出遊技媒体検出手段として構成される
請求項１記載の遊技機。
【手続補正３】
【補正対象書類名】明細書
【補正対象項目名】請求項３
【補正方法】変更
【補正の内容】
【請求項３】
払出制御手段は、払出処理を実行するときに、景品遊技媒体の払い出しか貸出遊技媒体の払い出しかを判定する払出種類判定手段を備え、
前記払出種類判定手段による判定により遊技媒体検出手段からの検出信号が景品遊技媒体の検出によるものか貸出遊技媒体の検出によるものかを特定し、払い出された景品遊技媒体数を示す景品遊技媒体数信号または払い出された貸出遊技媒体数を示す貸出遊技媒体数信号を遊技機の外部に出力するための外部情報信号出力処理を実行する
請求項２記載の遊技機。
【手続補正４】
【補正対象書類名】明細書
【補正対象項目名】００１１
【補正方法】変更
【補正の内容】
【００１１】
【課題を解決するための手段】
本発明による遊技機は、遊技媒体を用いて所定の遊技を行うことが可能であり、遊技により払出条件（例えば、遊技領域に設けられた入賞領域への入賞があったときに成立する条件、スロットマシンにおいて予め定められた所定の表示態様での表示が表示装置になされたときに成立する条件）が成立したことにもとづいて景品としての景品遊技媒体を払い出す遊技機であって、遊技の進行を制御する遊技制御手段（例えば、ＣＰＵ５６を含む遊技制御手段、図４４に示す遊技制御手段５６１）と、景品遊技媒体の払い出しを行う払出手段（例えば球払出装置９７、図４４に示す払出手段９７ａ）と、払出手段を制御する払出制御手段（例えば、払出制御用ＣＰＵ３７１を含む払出制御手段、図４４に示す払出制御手段３７１ａ）と、払出手段により払い出された景品遊技媒体を検出する景品遊技媒体検出手段（例えば払出カウントスイッチ３０１、図４４に示す遊技媒体検出手段５０１）とを備え、遊技制御手段は、払出条件の成立にもとづいて払出制御手段に対して景品遊技媒体の払出数を指定する払出数指令信号（例えば払出個数信号）および当該景品遊技媒体の払出要求を行う払出要求信号（例えばＲＥＱ信号）を継続的に出力（例えば、ステップＳ１９４およびステップＳ１９５にてオン状態とし、その後は継続してオン状態を維持することを意味する。）し、払出制御手段は、払出要求信号が入力されたことにもとづいて、払出手段を制御して払出数指令信号により指定された払出数の景品遊技媒体の払出処理（例えば図３６および図３７に示す賞球制御処理、図４４に示すステップＳ７５７ａの払出処理）を実行し、景品遊技媒体検出手段からの検出信号は、払出制御手段に入力され、払出制御手段は、景品遊技媒体検出手段からの検出信号の入力状態を監視して払出数指令信号により指定された払出数の景品遊技媒体が払い出されたか否かを判定（例えばステップＳ５４７）する払出数判定手段（例えば、払出制御用ＣＰＵ３７１を含む払出制御手段、図４４に示す払出数判定手段３７１ｂ）と、払出数判定手段により払出数指令信号により指定された払出数の景品遊技媒体が払い出されたと判定されたときに払出処理が完了したことを示す払出完了信号（例えばＢＵＳＹ信号をハイレベルからローレベルに立ち下げることで出力される賞球払出完了信号、図４４に示す払出完了信号）を遊技制御手段に対して出力する払出完了信号送信手段（例えば、払出制御用ＣＰＵ３７１を含む払出制御手段、図４４に示す払出完了信号送信手段３７１ｅ）とを含み、遊技制御手段は、払出完了信号を受信したことにもとづいて、継続的に出力されている払出要求信号の出力を停止（例えば、オン状態が維持されていた信号を、ステップＳ３８５およびステップＳ３８６にてオフ状態とすることを意味する。）する払出要求信号停止手段（例えば、ＣＰＵ５６を含む遊技制御手段、図４４に示す払出指令信号停止手段５６２）を含み、払出制御手段は、払出要求信号にもとづく景品遊技媒体の払出処理が終了したあと所定期間（例えば賞球通過待ち時間が終了するまでの期間）が経過しても払出数判定手段により払出数指令信号により指定された払出数の景品遊技媒体が払い出されたと判定されないときに、当該払出処理による景品遊技媒体の払出数が払出数指令信号により指定された払出数に対して不足していると判定（例えばステップＳ５４７のＮ）する払出数不足判定手段（例えば、払出制御用ＣＰＵ３７１を含む払出制御手段、図４４に示す払出数不足判定手段３７１ｃ）と、払出数不足判定手段により払出数が不足していると判定されたときに、払出手段を制御して不足数分の景品遊技媒体の払出処理（例えばステップＳ５４８以降の処理、図４４に示すステップＳ７５７ｂの払出処理）を実行する不足払出処理制御手段（例えば、払出制御用ＣＰＵ３７１を含む払出制御手段、図４５に示す不足払出処理制御手段３７１ｄ）と、払出要求信号にもとづく景品遊技媒体の払出処理の実行中に払出要求信号の出力が停止されたときに、景品遊技媒体の払出処理を禁止する払出禁止状態に設定する処理を行う払出禁止状態設定手段とを含むことを特徴とする。
【手続補正５】
【補正対象書類名】明細書
【補正対象項目名】００１３
【補正方法】変更
【補正の内容】
【００１３】
払出手段が、景品遊技媒体の払い出しと貸出要求（例えば、カードユニット５０からの球貸し要求）にもとづいて遊技者に貸し出す貸出遊技媒体の払い出しとを実行可能であり、景品遊技媒体検出手段は、払出手段により払い出された景品遊技媒体と貸出遊技媒体とを検出する払出遊技媒体検出手段として構成されていてもよい。
【手続補正６】
【補正対象書類名】明細書
【補正対象項目名】００１４
【補正方法】変更
【補正の内容】
【００１４】
払出制御手段が、払出処理を実行するときに、景品遊技媒体の払い出しか貸出遊技媒体の払い出しかを判定する払出種類判定手段（例えば、払出制御用ＣＰＵ３７１を含む払出制御手段）を備え、払出種類判定手段による判定により遊技媒体検出手段からの検出信号が景品遊技媒体の検出によるものか貸出遊技媒体の検出によるものかを特定（例えばステップＳ７５３ｄ）し、払い出された景品遊技媒体数を示す景品遊技媒体数信号または払い出された貸出遊技媒体数を示す貸出遊技媒体数信号を遊技機の外部に出力するための外部情報信号出力処理（例えばステップＳ７５３ｇ〜ステップＳ７５３ｊ、ステップＳ７５３ｋ〜ステップＳ７５３ｎ）を実行する構成とされていてもよい。
【手続補正７】
【補正対象書類名】明細書
【補正対象項目名】０２８１
【補正方法】変更
【補正の内容】
【０２８１】
【発明の効果】
以上のように、請求項１記載の発明によれば、払出制御手段が、景品遊技媒体検出手段からの検出信号の入力状態を監視して払出数指令信号により指定された払出数の景品遊技媒体が払い出されたか否かを判定する払出数判定手段と、払出数判定手段により払出数指令信号により指定された払出数の景品遊技媒体が払い出されたと判定されたときに払出処理が完了したことを示す払出完了信号を遊技制御手段に対して出力する払出完了信号送信手段とを含み、遊技制御手段は、払出完了信号を受信したことにもとづいて、継続的に出力されている払出要求信号の出力を停止する払出要求信号停止手段を含み、払出制御手段は、払出要求信号にもとづく景品遊技媒体の払出処理が終了したあと所定期間が経過しても払出数判定手段により払出数指令信号により指定された払出数の景品遊技媒体が払い出されたと判定されないときに、当該払出処理による景品遊技媒体の払出数が払出数指令信号により指定された払出数に対して不足していると判定する払出数不足判定手段と、払出数不足判定手段により払出数が不足していると判定されたときに、払出手段を制御して不足数分の景品遊技媒体の払出処理を実行する不足払出処理制御手段と、払出要求信号にもとづく景品遊技媒体の払出処理の実行中に払出要求信号の出力が停止されたときに、景品遊技媒体の払出処理を禁止する払出禁止状態に設定する処理を行う払出禁止状態設定手段とを含むことを特徴とするので、遊技制御手段と払出制御手段との間の払出数に関わる認識誤差が生じる可能性が低減されるとともに、不足時の信号を別途送信する必要がないので制御負担が軽減されるという効果を有する。
【手続補正８】
【補正対象書類名】明細書
【補正対象項目名】０２８３
【補正方法】変更
【補正の内容】
【０２８３】
請求項２記載の発明では、払出手段が、景品遊技媒体と貸出要求にもとづいて遊技者に貸し出す貸出遊技媒体の払い出しとを実行可能であり、景品遊技媒体検出手段が、払出手段により払い出された景品遊技媒体と貸出遊技媒体とを検出する払出遊技媒体検出手段として構成されているので、部品点数を削減することができる。
【手続補正９】
【補正対象書類名】明細書
【補正対象項目名】０２８４
【補正方法】変更
【補正の内容】
【０２８４】
請求項３記載の発明では、払出種類判定手段による判定により遊技媒体検出手段からの検出信号が景品遊技媒体の検出によるものか貸出遊技媒体の検出によるものかを特定し、払い出された景品遊技媒体数を示す景品遊技媒体数信号または払い出された貸出遊技媒体数を示す貸出遊技媒体数信号を遊技機の外部に出力するための外部情報信号出力処理を実行する構成とされているので、外部にて、払い出された遊技媒体が景品遊技媒体であるのか貸出遊技媒体であるのかを確実に区別することができる。